(57)【要約】【課題】発熱層上に配置されたシートが剥がれ難い発熱体の製造方法を提供する。【解決手段】  基材シート１１並びに基材シート１１の一面側に形成され、被酸化性の金属、電解質及び水を含む発熱層１２を有する発熱体１０の製造方法であって、基材シート１１０の一面側に、被酸化性の金属及び水を含む塗料を塗工する塗工工程と、塗工工程後に、基材シート１１の一面側に、第１の保水材１３を供給する保水材供給工程と、保水材供給工程後に、基材シート１１の一面側に、第２の保水材１５及び親水性繊維を含む保水シート１４を、配置する保水シート配置工程と、少なくとも保水シート配置工程より前に、基材シート１１における塗料の塗工面側に電解質３を添加する電解質添加工程とを備える、発熱体１０の製造方法。【選択図】図２
2020191974.tif 000002
【特許請求の範囲】
【請求項１】
基材シート並びに該基材シートの一面側に形成され、被酸化性の金属、電解質及び水を含む発熱層を有する発熱体の製造方法であって、
前記基材シートの前記一面側に、前記被酸化性の金属及び水を含む塗料を塗工する塗工工程と、
前記塗工工程後に、前記基材シートの前記一面側に、第１の保水材を供給する保水材供給工程と、
前記保水材供給工程後に、前記基材シートの前記一面側に、第２の保水材及び親水性繊維を含む保水シートを、配置する保水シート配置工程と、
少なくとも前記保水シート配置工程より前に、前記基材シートにおける前記塗料の塗工面側に前記電解質を添加する電解質添加工程とを備える、発熱体の製造方法。
【請求項２】
前記保水シートは、前記第２の保水材として高吸収性ポリマーを含んでおり、
前記保水シート配置工程において、前記親水性繊維が第１の保水材と接するように、前記保水シートを配置する、請求項１に記載の発熱体の製造方法。
【請求項３】
前記保水シートは、厚み方向において、第２の保水材の含有率が高い高保水材含有領域と第２の保水材の含有率が低い低保水材含有領域とを有しており、
前記保水シート配置工程において、前記低保水材含有領域側を、前記基材シートの前記一面側に向けて、前記保水シートを配置する、請求項１又は２に記載の発熱体の製造方法。
【請求項４】
前記保水シート配置工程に供する前の状態では、前記保水シートは、前記発熱層よりも水分量が少ない、請求項１〜３の何れか１項に記載の発熱体の製造方法。
【請求項５】
前記電解質添加工程は、前記保水材供給工程と同時に行うか、又は前記前記保水材供給工程よりも前に、前記電解質を添加して行う請求項１〜４の何れか１項に記載の発熱体の製造方法。
【請求項６】
前記保水シート配置工程よりも前に、前記保水シート及び前記基材シートの何れか一方又は両方に接着剤を塗布する、請求項１〜５の何れか１項に記載の発熱体の製造方法。
【請求項７】
請求項１〜６の何れか１項に記載の発熱体の製造方法により前記発熱体を製造し、
前記基材シートにおける前記発熱層とは反対側に被覆シートを配する発熱具の製造方法。
【請求項８】
前記被覆シート側が外側になるように前記発熱具を二つ折り返す、請求項７に記載の発熱具の製造方法。
【発明の詳細な説明】
【技術分野】
【０００１】
本発明は、発熱体及び発熱具の製造方法に関する。
【背景技術】
【０００２】
発熱層を基材シート上に形成し、発熱体を製造する技術が知られている。例えば特許文献１には、基材シート上に発熱組成物及び吸水剤を積層し、該基材シートにおける発熱組成物及び吸水剤の積層面側に、被膜材シートを重ね合わせ、積層包装体を製造することが記載されている。
【０００３】
特許文献２には、基材シート上に塗工した発熱組成物の上に、食塩及び吸収性ポリマーを散布し、クレープ紙を重ね合わせて水蒸気発生部を形成することが記載されている。
特許文献３には、第二の基材シートの一面に発熱層を形成し、該基材シートにおける発熱層の形成面側に保水材及び第一の基材シートをこの順で供給して発熱体を製造することが記載されている。
【先行技術文献】
【特許文献】
【０００４】
【特許文献１】特開２０１０−２５４３６９号公報
【特許文献２】特開２０１７−２２５８１３号公報
【特許文献３】特開２０１７−０２３３０７号公報
【発明の概要】
【発明が解決しようとする課題】
【０００５】
特許文献１〜３に記載された技術では、発熱体の製造工程の途中や、製造された発熱体を後続の工程に搬送しているときに、基材シートにおける発熱層の形成面側に配された別の基材シートが、発熱層上から剥がれたり、ずれたりしてしまうことが生じていた。
【０００６】
本発明の課題は、前述した従来技術が有する欠点を解消し得る発熱体の製造方法を提供することにある。
【課題を解決するための手段】
【０００７】
本発明は、基材シート並びに該基材シートの一面側に形成され、被酸化性の金属、電解質及び水を含む発熱層を有する発熱体の製造方法であって、前記基材シートの前記一面側に、被酸化性の金属及び水を含む塗料を塗工する塗工工程と、前記塗工工程後に、前記基材シートの前記一面側に、第１の保水材を供給する保水材供給工程と、前記保水材供給工程後に、前記基材シートの前記一面側に、第２の保水材及び親水性繊維を含む保水シートを、配置する保水シート配置工程と、少なくとも前記保水シート配置工程より前に、前記基材シートにおける前記塗料の塗工面側に電解質を添加する電解質添加工程とを備える、発熱体の製造方法を提供することにより、上記目的を達成したものである。
【０００８】
また、本発明は、前記発熱体の製造方法により前記発熱体を製造し、前記発熱体が有する前記基材シートにおける前記発熱層とは反対側に被覆シートを配する発熱具の製造方法を提供することにより、上記目的を達成したものである。
【発明の効果】
【０００９】
本発明によれば、基材シートにおける発熱層の形成面側に配された別の基材シートが、発熱層上から剥がれたり、ずれたりし難い。
【図面の簡単な説明】
【００１０】
【図１】図１は、本発明の発熱具の製造方法により製造される発熱具の一例を示す断面模式図である。
【図２】図２は、本発明の発熱具の製造方法に用いられる製造装置の一例を示す概略側面図である。
【図３】図３は、本発明の発熱具の製造方法により製造された発熱具における保水シート、及び比較例の方法により製造された発熱具におけるクラフト紙の剥離強度の測定結果を示すグラフである。
【発明を実施するための形態】
【００１１】
以下、本発明をその好ましい実施態様に基づき図面を参照しながら説明する。
図１に、本発明の発熱具の製造方法により製造される発熱具の一例である発熱具１００の模式断面図を示す。図１に示す発熱具１００は、発熱体１０と、該発熱体１０の上面を覆う第１被覆シート１０１と、該発熱体１０の下面を覆う第２被覆シート１０２とを有している。発熱具１００が有する発熱体１０は、本発明の発熱体の製造方法により製造される発熱体の一例である。
【００１２】
発熱体１０は、基材シート１１と、発熱層１２と、第１の保水材１３と、保水シート１４とを有している。発熱層１２は、基材シート１１の一面側に形成されており、被酸化性の金属、電解質３及び水を含んでいる。第１の保水材１３及び保水シート１４は、発熱層１２における基材シート１１とは反対側に配されている。第１の保水材１３は、少なくともその一部が発熱層１２と接するように配されていることが好ましい。第１の保水材１３は、発熱層１２と混合した状態になっていてもよい。保水シート１４は、第２の保水材１５と親水性繊維とを含んでいる。
【００１３】
第１の保水材１３は、水の保持が可能な材料から構成されている。第１の保水材１３を構成する材料としては、高吸収性ポリマー（ＳＡＰ）、でんぷん、バーミキュライト、ケイ酸カルシウム、シリカゲル、シリカ系多孔質物質、アルミナ、木粉等が挙げられる。高吸収性ポリマーとしては、架橋カルボキシルメチル化セルロース、アクリル酸又はアクリル酸アルカリ金属塩の重合体又は共重合体等、ポリアクリル酸及びその塩並びにポリアクリル酸塩グラフト重合体等が挙げられる。
【００１４】
保水シート１４に含まれる親水性繊維は、第１の保水材１３及び第２の保水材１５の何れよりも吸水性が低い繊維であることが好ましい。親水性繊維としては、パルプ繊維、レーヨン繊維、コットン繊維、酢酸セルロース等のセルロース系の親水性繊維等が挙げられる。また、親水性繊維は、セルロース系の親水性繊維以外に、ポリオレフィン、ポリエステル、ポリアミド等の合成樹脂からなる繊維を界面活性剤等により親水化したものであってもよい。
【００１５】
保水シート１４に含まれる第２の保水材１５は、水の保持が可能な材料から構成されている。第２の保水材１５を構成する材料としては、高吸収性ポリマー（ＳＡＰ）、でんぷん、バーミキュライト、ケイ酸カルシウム、シリカゲル、シリカ系多孔質物質、アルミナ、木粉等が挙げられ、これらの中でも、保水シート１４を発熱層１２上から剥がれ難くする観点から、高吸収性ポリマーであることが好ましい。高吸収性ポリマーとしては、架橋カルボキシルメチル化セルロース、アクリル酸又はアクリル酸アルカリ金属塩の重合体又は共重合体等、ポリアクリル酸及びその塩並びにポリアクリル酸塩グラフト重合体等が挙げられる。
第２の保水材１５を構成する材料は、第１の保水材１３を構成する材料と同じであってもよいし、異なっていてもよいが、同じであることが好ましい。
保水シート１４は、第２の保水材１５が、均一に分布しているものであってもよいし、偏在しているものであってもよい。第２の保水材１５が偏在している場合、保水シート１４は、保水シート１４の厚み方向において、相対的に第２の保水材１５の含有率が高い高保水材含有領域と、相対的に第２の保水材１５の含有率が低い低保水材含有領域とを有していることが好ましい。
【００１６】
保水シート１４としては、第２の保水材１５が、該シートの厚み方向略中央域に相対的に高密度に存在し、該シートの表裏面には、第２の保水材１５が、実質的に存在していないか又は相対的に低密度に存在するものを用いることも好ましい。また、その保水シート１４は、高吸収性ポリマーの粒子の存在部位を挟んで表裏に親水性の繊維の層を有することが好ましく、高吸収性ポリマーの粒子の存在部位を挟んで架橋セルロース繊維の層を有していることがより好ましい。
斯かる保水シート１４としては、例えば特開２０１７−２２５８１３号公報に記載のもの、特許第５２９６２５６号公報に記載のもの等を用いることができる。
【００１７】
保水シート１４全体における親水性繊維の坪量は、好ましくは１０ｇ／ｍ２以上、より好ましくは２０ｇ／ｍ２以上であり、また好ましくは４００ｇ／ｍ２以下、より好ましくは３００ｇ／ｍ２以下であり、また好ましくは１０ｇ／ｍ２以上４００ｇ／ｍ２以下、より好ましくは２０ｇ／ｍ２以上３００ｇ／ｍ２以下である。
【００１８】
保水シート１４における、高吸収性ポリマーの粒子の存在部位よりも発熱層１２側に配される親水性繊維の坪量は、好ましくは５ｇ／ｍ２以上、より好ましくは１０ｇ／ｍ２以上であり、また好ましくは２４０ｇ／ｍ２以下、より好ましくは１８０ｇ／ｍ２以下であり、また好ましくは５ｇ／ｍ２以上２４０ｇ／ｍ２以下、より好ましくは１０ｇ／ｍ２以上１８０ｇ／ｍ２以下である。
また、保水シート１４における、高吸収性ポリマーの粒子の存在部位を基準として発熱層１２側とは反対側に配される親水性繊維の坪量は、好ましくは５ｇ／ｍ２以上、より好ましくは１０ｇ／ｍ２以上であり、また好ましくは１６０ｇ／ｍ２以下、より好ましくは１２０ｇ／ｍ２以下であり、また好ましくは５ｇ／ｍ２以上１６０ｇ／ｍ２以下、より好ましくは１０ｇ／ｍ２以上１２０ｇ／ｍ２以下である。
【００１９】
保水シート１４全体における第２の保水材１５の坪量は、好ましくは５ｇ／ｍ２以上、より好ましくは１０ｇ／ｍ２以上であり、また好ましくは３００ｇ／ｍ２以下、より好ましくは２００ｇ／ｍ２以下であり、また好ましくは５ｇ／ｍ２以上３００ｇ／ｍ２以下、より好ましくは１０ｇ／ｍ２以上２００ｇ／ｍ２以下である。
【００２０】
発熱層１２は、その坪量が、好ましくは２００ｇ／ｍ２以上、より好ましくは３００ｇ／ｍ２以上であり、また好ましくは２５００ｇ／ｍ２以下、より好ましくは２０００ｇ／ｍ２以下であり、また好ましくは２００ｇ／ｍ２以上２５００ｇ／ｍ２以下、より好ましくは３００ｇ／ｍ２以上２０００ｇ／ｍ２以下である。当該範囲であれば、発熱具１００を薄型化でき、且つ十分な発熱時間を得ることが容易となる。
【００２１】
発熱具１００は、例えば図２に示す製造装置１００Ａによって好適に製造することができる。図２に示す製造装置１００Ａは、ダイコータ２１を有する塗工部２０と、電解質の散布装置３１を有する電解質添加部３０と、第１の保水材の散布装置４１を有する保水材供給部４０と、保水シート配置部５０と、ロータリーダイカッター６２及びアンビルロール６３を有する第１裁断部６０と、リピッチ部７０と、被覆部８０と、封止部９０と、第２裁断部９５とを備えている。
【００２２】
本発明の発熱具の製造方法の好ましい一実施態様について、製造装置１００Ａを用いて、発熱具１００を製造する方法を例に説明する。本実施態様の発熱具１００の製造方法では、まず発熱体１０を製造し、該発熱体１０を加工することで発熱具１００を製造している。発熱体１０を製造する方法は、基材シート１１並びに該基材シート１１の一面側に形成され、被酸化性の金属、電解質及び水を含む発熱層１２を有する発熱体１０の製造方法であり、塗工工程と、電解質添加工程と、保水材供給工程と、保水シート配置工程とをこの順で備えている。
【００２３】
塗工工程においては、基材シート１１の一面側に被酸化性の金属及び水を含む塗料を塗工する。具体的には、基材シート１１の原反ロール１１Ａから繰り出された帯状の基材シート１１を、無端ベルト２２によって塗工部２０に搬送する。そして、搬送された基材シート１１の一面側に、ダイコータ２１によって、被酸化性の金属及び水を含む塗料を塗工し、基材シート１１の一面側に塗工層２を形成する。
【００２４】
電解質添加工程においては、基材シート１１における一面側、即ち基材シート１１における前記塗料の塗工面側に電解質３を添加する。具体的には、塗工層２が形成された基材シート１１を無端ベルト２２によって電解質添加部３０に搬送する。そして、搬送された基材シート１１上に形成された塗工層２に向かって、電解質の散布装置３１から電解質３を散布する。塗工層２に電解質３が添加されることにより、基材シート１１の一面側に発熱層１２が形成される。散布される電解質３は、固体状態でもよいし、液体状態でもよいが、本実施態様では、固体状態であることが好ましい。
【００２５】
保水材供給工程においては、基材シート１１の一面側に第１の保水材１３を供給する。具体的には、塗工層２が形成された基材シート１１を無端ベルト２２によって保水材供給部４０に搬送する。そして、塗工工程によって形成された塗工層２に向かって、第１の保水材１３の散布装置４１から第１の保水材１３を散布する。
【００２６】
保水シート配置工程においては、基材シート１１の一面側に保水シート１４を配置する。具体的には、保水材供給工程を経た基材シート１１を無端ベルト２２によって保水シート配置部５０に搬送する。そして、保水シート１４の原反ロール（不図示）から繰り出された帯状の保水シート１４を、基材シート１１の一面側に重ね合わせる。
【００２７】
このようにして、連続長尺物からなる発熱体１０Ａが形成されたら、該発熱体１０Ａを第１裁断部６０において、幅方向にわたって裁断する。第１裁断部６０が備えるロータリーダイカッター６２は、周面にカッター刃６１を有しており、該ロータリーダイカッター６２とアンビルロール６３との間を発熱体１０Ａが通過することで裁断が行われ、それによって毎葉の発熱体１０が得られる。
【００２８】
連続長尺物からなる発熱体１０Ａの裁断は、発熱体１０Ａの幅方向に延びるように行われればよく、例えば発熱体１０Ａの幅方向にわたって直線的に行うことができる。あるいは、裁断線が曲線を描くように裁断を行うことができる。いずれの場合であっても、裁断によってトリムが発生しないような裁断パターンを採用することが好ましいが、楕円や流線形等の所望の形状に切り抜いてもよい。
【００２９】
以上の工程を経て製造された発熱体１０は、図１に示すように、基材シート１１の一面側に発熱層１２及び第１の保水材１３を有しており、且つ発熱層１２における基材シート１１とは反対側の面に保水シート１４が配されている。保水シート１４は、上述のように、第２の保水材１５を含んでいる。したがって、発熱体１０においては、第１の保水材１３と保水シート１４が有する第２の保水材１５との間で、水の受け渡しが行われ易くなっており、水の存在により表面張力が働き、その結果、保水シート１４が第１の保水材１３を介して発熱層１２上に貼り付いた状態が維持され易く、保水シート１４が発熱層１２上から剥がれ難くなっている。そのため、基材シート１１の搬送中や保水シート配置工程において保水シート１４がずれたり、剥がれたりし難いので、発熱体１０を安定して製造することができる。また、発熱体１０を後続の工程に搬送し発熱具１００を製造する際にも、保水シート１４がずれたり、剥がれたりし難いので、発熱具１００を安定して製造することができる。
【００３０】
本実施態様では、第２の保水材１５として高吸収性ポリマーを用い、保水シート配置工程において、保水シート１４に含まれる親水性繊維が、基材シート１１の一面側に配された第１の保水材１３と接するように、保水シート１４を配置することが好ましい。高吸収性ポリマーを含む保水シート１４を用いて、該保水シート１４の親水性繊維が第１の保水材１３と接するように保水シート配置工程を行うことにより、製造された発熱体１において、第１の保水材１３と第２の保水材１５との間に、親水性繊維が配されることになる。保水シート１４に含まれる親水性繊維は、第１の保水材１３及び第２の保水材１５の何れよりも吸水性が低いので、第１の保水材１３と第２の保水材１５との間に空隙が確保され易く、自由度が確保できることによって、機械力による保水シート１４の剥がれがより生じ難くなる。
【００３１】
また、保水シート１４として、保水シート１４の厚み方向において、相対的に第２の保水材１５の含有率が高い高保水材含有領域と、相対的に第２の保水材１５の含有率が低い低保水材含有領域を有するシートを用いる場合、保水シート配置工程において、保水シート１４における低保水材含有領域側を、基材シート１１の一面側に向けて、保水シート１４を配置することが好ましい。これにより、第１の保水材１３と第２の保水材１５とが密着し難くなり、第１の保水材１３及び第２の保水材１５が水を吸収したときにゲルブロッキングが生じることを防ぎ易く、保水シート１４と発熱層１２との間で水分が移行し易くなる。保水シート１４及び発熱層１２間で水分が移行し易くなることに加え、保水シート１４の親水性繊維が第１の保水材１３の水分と親和性をもっていることにより、保水シート１４と第１の保水材１３との間の接着性が維持され易くなり、保水シート１４が発熱層１２上から剥がれることを一層防止し易くなる。
【００３２】
また、保水シート配置工程に供する前の保水シート１４、即ち、基材シート１１の一面側に配置される前の保水シート１４は、発熱層１２よりも水分量が少ないことが好ましい。これにより、保水シート１４が基材シート１１の一面側に配置され、保水シート１４が発熱層１２に当接したときに、発熱層１２から保水シート１４へ水分が素早く移動し易くなるため、保水シート１４が発熱層１２上から剥がれることを一層防止し易くなる。
【００３３】
本発明においては、電解質添加工程は少なくとも保水シート配置工程よりも前に行われればよく、塗工工程と、電解質添加工程と、保水材供給工程と、保水シート配置工程とをこの順で行う必要は必ずしも無い。
塗工層２に電解質３が添加され易くし、基材シート１１の一面側に発熱層１２が形成され易くする観点から、電解質塗工工程は、保水材供給工程と同時又は保水材供給工程よりも前に行うことが好ましい。電解質添加工程を、保水材供給工程よりも前に行う場合、電解質３は固体状態で散布することが好ましい。電解質塗工工程と保水材供給工程とを同時に行う場合、電解質３と第１の保水材１３とを混合した組成物を、基材シート１１の一面側に散布してもよい。
【００３４】
また、保水シート１４が発熱層１２上から剥がれ難くするために、保水シート配置工程よりも前に、予め、保水シート１４及び基材シート１１の何れか一方又は両方に接着剤を塗布してもよい。接着剤としては、例えば、ホットメルト接着剤を用いることができる。ホットメルト接着剤としては、例えばスチレン−イソプレン−スチレンブロック共重合体（ＳＩＳ）、スチレン−ブタジエン−スチレンブロック共重合体（ＳＢＳ）、スチレン−エチレン−ブチレン−スチレン共重合体（ＳＥＢＳ）等のブロックコポリマー系のホットメルト接着剤が挙げられる。保水シート１４に接着剤を塗布する場合、接着剤は、保水シート１４における発熱層１２と対向する面側に塗布することが好ましい。基材シート１１に接着剤を塗布する場合、接着剤は、基材シート１１における発熱層１２が配されている側と同じ面側に塗布することが好ましい。
【００３５】
接着剤を、基材シート１１における発熱層１２が配されている側と同じ面側に塗布する態様としては、発熱層１２上に接着剤を塗布する態様、基材シート１１が発熱層１２から延出した延出部を有し、該延出部に接着剤を塗布する態様、並びに前記延出部及び発熱層１２上に接着剤を塗布する態様が含まれる。
発熱層１２上に接着剤を塗布する態様には、発熱層１２上に配された第１の保水材１３上に接着剤を塗布する態様も含まれる。
前記延出部に接着剤を塗布する態様においては、該延出部に塗布された接着剤を介して、該延出部を保水シート１４又は第１被覆シート１０１に接合する。
【００３６】
本実施態様では、上述の各工程を経て製造された発熱体１０を、後続の工程により加工して発熱具１００を製造している。
具体的には、第１裁断部６０により切断されて、毎葉となった発熱体１０はリピッチ部７０において搬送方向の前後におけるピッチが変更され、前後隣り合う発熱体１０間が所定の距離を置いて再配置される。このようなリピッチの機構としては従来公知のものを特に制限なく用いることができる。
【００３７】
リピッチされた発熱体１０は、被覆部８０に搬送され、連続長尺物からなる第１の被覆シート１０１と、同じく連続長尺物からなる第２の被覆シート１０２によってその全体が被覆される。第１の被覆シート１０１は、発熱体１０における発熱層１２の形成されている側を被覆する。第２の被覆シート１０２は、発熱体１０における発熱層１２が形成されていない側、即ち、発熱体１０が有する基材シート１１における発熱層１２とは反対側を被覆する。この被覆状態を保ちつつ、発熱体１０は、被覆部８０の備える無端ベルト８１により封止部９０に導入される。封止部９０は、周面にシール凸部９２を有する第１のロール９１と、同じく周面にシール凸部９２を有する第２のロール９３とを備えている。両ロール９１，９３は、その軸方向が平行になるように、かつ各ロール９１，９３のシールバー９２，９２が互いに当接するか、又は両者間に所定のクリアランスが生じるような位置関係で配置されている。封止部９０においては、発熱体１０の前後左右から延出している第１及び第２の被覆シート１０１，１０２の延出部が、ヒートシールによって接合される。この接合は、発熱体１０を取り囲む連続した気密の接合であるか、又は発熱体１０を取り囲む不連続の接合である。
【００３８】
このようにして、複数の発熱具が一方向に連結された状態の連続長尺物が得られる。この連続長尺物を第２裁断部９５において、その幅方向にわたって裁断する。第２裁断部９５は、カッター刃９６を有するロータリーダイカッター９７とアンビルロール９８とを備えている。連続長尺物が両部材間を通過することで裁断が行われ、それによって発熱具１００が得られる。裁断においては、先に述べた第１裁断部６０における発熱体１０の裁断線が例えば直線状である場合には、本裁断部９５における裁断線も直線とすることが好ましい。また、第１裁断部６０における発熱体１０の裁断線が曲線である場合には、本裁断部９５における裁断線もそれに倣った曲線とすることが好ましい。
【００３９】
以下、本実施態様で用いられる各部材について詳述する。
基材シート１１及び第２の被覆シート１０２は、通気性を有する通気性シートであってもよいし、通気性を有しない非通気性シートであってもよい。通気性シートとしては、例えば透湿性は有するが透水性を有さない合成樹脂製の多孔性シートを用いることが好適である。具体的には、ポリエチレンまたはポリプロピレンに炭酸カルシウム等を含有させ延伸したフィルムを用いることができる。かかる多孔性シートを用いる場合には、多孔性シートの外面にニードルパンチ不織布、エアスルー不織布、及び、スパンボンド不織布から選択される１種又は２種以上の不織布を始めとする各種の繊維シートをラミネートして、通気性シートの風合いを高めてもよい。非通気性シートとしては、一層又は複数層の合成樹脂製のフィルムや、該一層又は複数層の合成樹脂製のフィルムを用いることができる。かかるフィルムを用いる場合には、該フィルムの外面にニードルパンチ不織布、エアスルー不織布、及びスパンボンド不織布から選択される１種又は２種以上の不織布を始めとする各種の繊維シートをラミネートして、非通気性シートの風合いを高めることもできる。具体的には、ポリエチレンフィルムとポリエチレンテレフタレートフィルムからなる二層フィルム、ポリエチレンフィルムと不織布とからなるラミネートフィルム、ポリエチレンフィルムとパルプシートからなるラミネートフィルムなどが用いられるが、ポリエチレンフィルムとパルプシートからなるラミネートフィルムが殊更に好ましい
第１の被覆シート１０１は、通気性シートである。
【００４０】
保水シート１４は、通気性を有していることが好ましい。保水シート１４の通気度は、水分を含んだ状態の通気度で５００秒／１００ｍＬ以下であることが好ましく、通気性、蒸気の通しやすさを考慮すると、３００秒／１００ｍＬ以下であることがより好ましく、１００秒／１００ｍＬ以下であることがさらに好ましい。
【００４１】
前記塗料に含まれる被酸化性の金属としては、酸化反応熱を生ずる金属が用いられ、例えば、鉄、アルミニウム、亜鉛、マンガン、マグネシウム、及びカルシウムから選ばれる１種又は２種以上の粉末や繊維が挙げられる。中でも、取扱い性、安全性、製造コスト、保存性及び安定性の点から鉄が好ましく、特に鉄粉が好ましい。鉄粉としては、例えば、還元鉄粉、及びアトマイズ鉄粉などが挙げられる。
【００４２】
前記塗料は、被酸化性の金属及び水以外に、炭素成分を含んでいてもよい。炭素成分は、保水能、酸素供給能、及び触媒能の少なくとも１つの機能を有するものであり、この３つを兼ね備えているものが好ましい。炭素成分として、例えば、活性炭、アセチレンブラック、及び黒鉛から選ばれる１種又は２種以上を用いることができる。これらの中でも、湿潤時に酸素を吸着しやすいことや、発熱層１２中の水分を一定に保てる観点から、活性炭が好ましく用いられる。より好ましくは、椰子殻炭、木粉炭及びピート炭から選ばれる１種又は２種以上の微細な粉末状物又は小粒状物が用いられる。中でも、発熱体１０の水分量を所望の範囲に保ちやすいことから、木粉炭が好ましい。
【００４３】
前記塗料には、炭素成分以外に同様の機能、すなわち保水能等を有する他の成分を含有させてもよい。そのような成分としては、例えばバーミキュライト、おがくず及びシリカゲルから選ばれる１種又は２種以上が挙げられる。これら他の成分が前記塗料中に含まれている場合、これら他の成分と炭素成分との合計量に対する炭素成分の割合は、９０質量％以上であることが発熱層１２中の水分を制御する点で好ましく、９５質量％以上であることが更に好ましく、９８質量％以上であることが一層好ましい。
【００４４】
電解質３は、塗工層２に添加されたときに、被酸化性金属の反応効率を上げ、酸化反応を持続させる反応促進が目的で用いられる。電解質３を用いることにより、被酸化性金属の酸化被膜を破壊して、酸化反応を促進することができる。
【００４５】
電解質３としては、例えばアルカリ金属、アルカリ土類金属の硫酸塩、及び塩化物から選ばれる１種又は２種以上が挙げられる。中でも、導電性、化学的安定性、生産コストに優れる点から、塩化ナトリウム、塩化カリウム、塩化カルシウム、塩化マグネシウム、第１塩化鉄、第２塩化鉄等の各種塩化物、及び硫酸ナトリウムから選ばれる１種又は２種以上を用いることが好ましい。
【００４６】
以上、本発明をその好ましい実施態様に基づき説明したが、本発明は上述した各実施態様に制限されず、適宜変更可能である。
例えば、本発明において製造される発熱具の形態は、図１に示す形態に限られるものではない。具体的には、第２の被覆シート側が外側になるように、発熱具を二つ折りし、該二つ折りした発熱具の外縁部をシールして、立体形状に変形可能としたものであってもよい。このような形態の発熱具は、例えば、以下のように製造することができる。
【００４７】
第１及び第２被覆シート１０１，１０２により発熱体１０の全体を被覆し、複数の発熱具１００の連続長尺物を製造した後に、該連続長尺物を幅方向に二つ折りする。このとき、該連続長尺物を二つ折りし易くする観点から、該連続長尺物の二つ折り部を挟んだ両側に、発熱体１０が配されていることが好ましい。
そして、二つ折りした連続長尺物における互いに対向する部分をシールする。シールする方法としては、熱シール、超音波シール、レーザーシール等が挙げられる。二つ折りした連続長尺物をシールするときは、発熱体１０よりも搬送方向の前側及び後側の部分においてシールすることが好ましい。
【００４８】
その後、例えば第２裁断部９５によって、二つ折りした連続長尺物を切断し、個々の発熱具を切り出す。このとき、二つ折りした連続長尺物におけるシール部よりも搬送方向の前側及び後側の部分において切断することが好ましい。このようにして製造された発熱具は、発熱具における互いに対向する面どうしが離れるように該発熱具を変形させることで、カップ形状等の立体形状に変形させることができる。
【００４９】
また保水シート１４は、２枚の繊維シート間に、第２の保水材１５が配された構成であってもよい。前記繊維シートは、親水性繊維からなるものであることが好ましい。
【実施例】
【００５０】
以下、実施例により本発明を更に詳細に説明する。しかしながら本発明の範囲は、かかる実施例に制限されない。
【００５１】
〔実施例１〕
本実施態様の発熱具１００の製造方法により、図１に示す構成の発熱具１００を製造し、第１の保水材１３として高吸収性ポリマーを用いた。また第１の保水材１３の坪量は、５５ｇ／ｍ２であった。保水シート１４としては、２枚の繊維シート間に、第２の保水材１５が配された構成であるものを用いた。発熱層１２側に配された繊維シートの坪量は２０ｇ／ｍ２であり、発熱層１２とは反対側に配された繊維シートの坪量は３０ｇ／ｍ２であり、第２の保水材１５の坪量は、７０ｇ／ｍ２であった。第２の保水材１５としては高吸収性ポリマーを用いた。発熱層１２の質量は発熱具１個当たり４．６ｇであった。発熱層を構成する塗料組成は塗料を１００質量％とした場合、鉄粉５８質量％、活性炭５質量％、水３６質量％であった。保水シート１４は、保水シート配置工程に供する前の状態では、坪量どうしを比較したときに、発熱層１２よりも水分量が少なかった。
〔比較例１〕
保水シート１４に代えて、クラフト紙を用いた以外は、実施例１と同様にして発熱具を製造した。
【００５２】
〔剥離強度の測定方法〕
実施例１及び比較例１の発熱具から、第１の被覆シート１０１を取り除き、長手方向の長さ４９ｍｍ、幅方向の長さ２４．５ｍｍの平面視略矩形形状の発熱体の長手方向の一端から１ｃｍに亘る領域において、保水シート１４又はクラフト紙を剥離する。こうして、一部が剥離された発熱体を、その長手方向が引張方向となるように該剥離した保水シート１４又はクラフト紙の片端をプッシュプルゲージ（アイコーエンジニアリング株式会社製ＣＰＵゲージＭＯＤＥＬ−９５００）に装着した後、該プッシュプルゲージに装着した該片端を３００ｍｍ／ｍｉｎの引張速度で引っ張り、発熱層１２から保水シート１４又はクラフト紙と発熱層１２を剥離し、このときの剥離強度のピーク値を測定する。測定は５回行い、それらの測定値の平均値を吸収体の剥離強度とする。
【００５３】
〔評価〕
実施例１及び比較例１について、剥離強度を測定した結果を図３に示す。図３に示すように、実施例１は、比較例１に比して保水シート１４の剥離強度が大きく向上している。したがって、本発明の発熱具の製造方法により製造された発熱具は、保水シート１４が発熱層１２上から剥がれたりずれたりし難いことがわかる。
【符号の説明】
【００５４】
３  電解質
１０  発熱体
１１  基材シート
１２  発熱層
１３  第１の保水材
１４  保水シート
１５  第２の保水材
【図１】
2020191974.tif 000003
【図２】
2020191974.tif 000004
【図３】
2020191974.tif 000005